(57)【要約】      （修正有）【課題】使用者がマッサージ椅子の背凭れ部に凭れ掛かってもマッサージ装置の施療子の回転や振動を阻害することなく、また、マッサージ椅子の使用者に対して快適にマッサージを行わせるマッサージ椅子を提供する。【解決手段】マッサージ椅子の背凭れ部でマッサージ装置を支持するマッサージ装置支持基材１であって、マッサージ装置を取り付けるマッサージ装置取付部４を表面に設けた長板状の基材本体２と、基材本体２の裏面両端に設けた弾性体３とからなり、背凭れ部に凭れ掛かってマッサージ装置を押圧する使用者の圧力を弾性体３が吸収する。【選択図】図１
0003176630.tif 000002
【実用新案登録請求の範囲】
【請求項１】
マッサージ椅子の背凭れ部でマッサージ装置を支持するマッサージ装置支持基材であって、前記マッサージ装置を取り付けるマッサージ装置取付部を表面に設けた長板状の基材本体と、当該基材本体の裏面両端に設けた弾性体とからなり、前記背凭れ部に凭れ掛かってマッサージ装置を押圧する使用者の圧力を前記弾性体が吸収することを特徴とするマッサージ装置支持基材。
【請求項２】
前記マッサージ装置支持基材によって支持されたマッサージ装置を背凭れ部に内蔵したことを特徴とするマッサージ椅子。
【考案の詳細な説明】
【技術分野】
【０００１】
本考案は、マッサージ椅子の背凭れ部に内蔵するマッサージ装置を固設支持するためのマッサージ装置支持基材に関する。
【背景技術】
【０００２】
従来、種々のマッサージ椅子が提供されており、背凭れに施療子が内蔵されたマッサージ椅子としては、背凭れ部にモータの回転動力によって揉み玉をマッサージ動作させる機械式のマッサージ具が設けられた椅子型マッサージ機が提供されている（特許文献１）。
【先行技術文献】
【特許文献】
【０００３】
【特許文献１】特開２０００−１９７６７７号公報
【考案の概要】
【考案が解決しようとする課題】
【０００４】
しかしながら、特許文献１に記載のマッサージ椅子では、使用者の背中部の押圧で背凭れ部に余計な圧力が掛かる場合があり、マッサージ装置に取り付けられた施療子の回転や振動を阻害することによって、背凭れ部に内蔵されたマッサージ装置のマッサージ効果を低下させる他、施療子への負担が増えて施療子が破損等しやすくなってしまうという問題があった。
【０００５】
また、特許文献１に記載のマッサージ椅子では、使用者の背中部の押圧で余計な圧力が掛かり、マッサージを行う使用者の背中部に対して施療子が不快感を与えるという問題もあった。
【０００６】
そこで、本考案は、使用者がマッサージ椅子の背凭れ部に凭れ掛かってもマッサージ装置の施療子の回転や振動を阻害することなく、また、マッサージ椅子の使用者に対して快適にマッサージを行わせることを目的として、マッサージ椅子の背凭れ部にマッサージ装置を固設支持するためのマッサージ装置支持基材及び当該マッサージ装置支持基材によって支持されたマッサージ装置を背凭れ部に内蔵したマッサージ椅子を提供することを課題とした。
【課題を解決するための手段】
【０００７】
上記課題を解決するために、本考案は次のように構成した。すなわち、本考案に係る請求項１に記載のマッサージ装置支持基材は、マッサージ椅子の背凭れ部でマッサージ装置を支持するマッサージ装置支持基材であって、前記マッサージ装置を取り付けるマッサージ装置取付部を表面に設けた長板状の基材本体と、当該基材本体の裏面両端に設けた弾性体とからなり、前記背凭れ部に凭れ掛かってマッサージ装置を押圧する使用者の圧力を前記弾性体が吸収することを特徴としている。
【０００８】
また、請求項２に記載のマッサージ椅子は、前記マッサージ装置支持基材によって支持されたマッサージ装置を背凭れ部に内蔵したことを特徴としている。
【考案の効果】
【０００９】
本考案に係る請求項１に記載のマッサージ装置支持基材によれば、両端に設けた弾性体のクッション性により、使用者がマッサージ椅子の背凭れ部に凭れ掛かっても施療子の回転や振動を阻害することなく快適にマッサージを行えるように、マッサージ装置をマッサージ椅子の背凭れ部に固設することができる。また、当該弾性体のクッション性により、マッサージ装置のマッサージ効果を向上させるとともに、マッサージ装置の施療子に負担を掛けることもなく、当該マッサージ装置を長期的に使用することができる。
【００１０】
また、請求項２に記載のマッサージ椅子によれば、前記マッサージ装置支持基材の両端に設けた弾性体のクッション性により、使用者が背凭れ部に凭れ掛かった際に、マッサージ効果を向上させるとともに、快適にマッサージを行うことができる。
【図面の簡単な説明】
【００１１】
【図１】本考案に係るマッサージ装置支持基材の構造を示す図である。
【図２】当該マッサージ装置支持基材をマッサージ装置に取り付けた状態を示す背面図である。
【図３】当該マッサージ装置支持基材をマッサージ装置に取り付けた状態を示す正面図である。
【図４】当該マッサージ装置支持基材を取り付けたマッサージ装置をマッサージ椅子の背凭れ部に固設した状態を示す図である。
【図５】本考案に係るマッサージ椅子を示す外観斜視図である。
【考案を実施するための形態】
【００１２】
以下、図１乃至図５を用いて、本考案を具体的に説明する。まず、図１は、本考案に係るマッサージ装置支持基材１の構造を示す図である。当該マッサージ装置支持基材１は、基本的な構造として、長板状の基材本体２と、当該基材本体２の両端に設けた弾性体３、３と、前記基材本体２にマッサージ装置６を取り付けるために設けたマッサージ装置取付部４、４、４とから構成されている。また、前記各弾性体３、３の外側端部には、当該マッサージ装置支持基材１をマッサージ椅子１１の背凭れ部１２に固設支持させるための取付部５、５が設けられている。当該取付部５、５には、マッサージ椅子１１への取付用の孔５ａ、５ａ、５ａ、５ａが設けられており、ネジによる螺設によってマッサージ椅子にマッサージ装置支持基材１が取り付けられる。
【００１３】
前記弾性体３、３は、前記基材本体２の長手方向両端から延伸し、長板を複数回折り畳んで形成した板バネであり、マッサージ椅子１１の使用者によるマッサージ装置６への押圧を当該弾性体３、３によって吸収する。逆に、使用者による押圧が解除されると、弾性体３、３の弾性力によってマッサージ装置６は初期状態の位置に戻る。なお、当該弾性体３、３は、前記板バネに限られるものではなく、つる巻きバネやゴムなどの弾性力を有する弾性体であればどのようなものであってもよい。
【００１４】
前記マッサージ装置取付部４、４、４は、図１に示すように、前記基材本体２の板面上に複数開口した孔であって、当該孔にネジを挿通させ、図２に示すように、マッサージ装置６の裏面に螺設させることにより、マッサージ装置支持基材１をマッサージ装置６の裏面に取り付ける。なお、図示はしないが、当該マッサージ装置取付部４、４、４は、ネジによる螺設に限られるものではなく、基材本体１とマッサージ装置６の裏面に設けた鍵条を係止することにより取り付けてもよく、また、基材本体１に接着剤等を塗布し、マッサージ装置６の裏面に接着させて取り付けてもよい。
【００１５】
図３は、前記図２に示した裏面のマッサージ装置６を、表面から示した図である。マッサージ装置６の表面には、大小の揉み玉が取り付けられた回転台６ａ、６ａが回転可能に表面に取り付けられている。なお、マッサージ装置６に取り付ける揉み玉等は、当該実施例のものに限られるものではなく、通常市販されている従来の揉み玉であってもよく、また、揉み玉によるマッサージ方式も、揉み玉が回転する回転方式、或いは、揉み玉が上下に振動する振動方式等、どのような方式であってもよい。さらに、当該回転台６ａ、６ａは、マッサージ装置６内部に設けたガイド（図示せず。）に従って、使用者の背中の肩甲骨近傍から腰部までマッサージすることができるように上下に移動するように構成してもよい。
【００１６】
当該マッサージ装置６は、図示しないが、外部からの電力供給によってモータを回転させることにより、下記の揉み玉を取り付けた回転台６ａ、６ａを回転させ、当該揉み玉に当接する使用者の身体部位にマッサージを行うものである。
【００１７】
このように、マッサージ装置支持基材１に取り付けられたマッサージ装置６は、図４に示すように、マッサージ椅子１１の背凭れ部１２の裏面から、マッサージ装置６の前記回転台６ａ、６ａがマッサージ椅子１１の背凭れ側となるように、マッサージ装置支持基材１の取付部５、５の孔５ａ、５ａ、５ａ、５ａを介し、前記背凭れ部１２の内側面に対してネジを螺設して固設支持される。なお、図示はしないが、取付部５、５による背凭れ部１２への取り付けは、取付部５、５と背凭れ部１２の内側面に設けた鍵条を係止することにより固設支持してもよく、また、取付部５、５に接着剤等を塗布し、背凭れ部１２の内側面の裏面に接着させて固設支持してもよい。
【００１８】
図５は、前記マッサージ椅子１１を背凭れ側、すなわち着座側から示す図である。前記背凭れ部１２の内部に固設支持されたマッサージ装置６は、回転台６ａ、６ａに取り付けられた揉み玉が、背凭れ部１２に被覆された布生地によって外観上目視することはできず、マッサージ椅子１１のデザイン性を阻害することもない。
【産業上の利用可能性】
【００１９】
前記実施例では、本発明に係るマッサージ装置支持基材１を用いてマッサージ装置６をマッサージ椅子１１の背凭れ部１２に固設支持したが、その他、マッサージ椅子１１の肘掛部、クッション或いはマット等の内部にマッサージ装置６を固設支持することもできる。
【符号の説明】
【００２０】
１    マッサージ装置支持基材
２    基材本体
３    弾性体
４    マッサージ装置取付部
５    取付部
５ａ  孔
６    マッサージ装置
６ａ  回転台
１１  マッサージ椅子
１２  背凭れ部
【図１】
0003176630.tif 000003
【図２】
0003176630.tif 000004
【図３】
0003176630.tif 000005
【図４】
0003176630.tif 000006
【図５】
0003176630.tif 000007
【手続補正書】
【提出日】平成24年4月19日(2012.4.19)
【手続補正１】
【補正対象書類名】実用新案登録請求の範囲
【補正対象項目名】請求項２
【補正方法】変更
【補正の内容】
【請求項２】
請求項１に記載のマッサージ装置支持基材によって支持されたマッサージ装置を背凭れ部に内蔵したことを特徴とするマッサージ椅子。